(57)【要約】【課題】終端部の位置が安全装置の位置を越える位置まで延在する内デッキカバーの終端部とハンドレールの外面とで形成される隙間から、衣服等の異物が入り込まない乗客コンベアを提供することにある。【解決手段】終端部の位置が安全装置の位置を越える位置まで延在するステンレス鋼板製の内デッキカバーの終端部とハンドレールの外面との間の隙間を塞ぐ合成樹脂製の閉塞部材を内デッキカバーの終端部に固定した。終端部の位置が安全装置の位置を越える位置まで延在する内デッキカバーをステンレス鋼板で構成したため、外力が作用しても破損することがなくなると共に、内デッキカバーの終端部とハンドレールの外面との間が閉塞部材によって塞がれているので衣服等の異物が入り込まなくなるものである。【選択図】図２
2014105095.tif 000002
【特許請求の範囲】
【請求項１】
無端状に配置されて乗降口間を移動する踏み板と、この踏み板と同期して移動するハンドレールと、前記ハンドレールを案内支持する欄干パネルと、前記欄干パネルの下方の前記踏み板側に設けられる内デッキカバーと、前記乗降口の脇の前正面側に開口された前記ハンドレールが出入りする開口と、前記乗降口の脇の前正面側に設けられ前記ハンドレールの下方に配置された安全装置とを備えた乗客コンベアにおいて、
前記内デッキカバーは終端部の位置が前記安全装置の位置を越える位置まで延在するステンレス鋼板製の内デッキカバーであると共に、前記内デッキカバーの前記終端部と前記ハンドレールの外面との間の隙間を塞ぐための前記内デッキカバーとは別に構成された閉塞部材が前記内デッキカバーの前記終端部に固定されていることを特徴とする乗客コンベア。
【請求項２】
請求項１において、
前記閉塞部材は合成樹脂製の閉塞部材であることを特徴とする乗客コンベア。
【請求項３】
請求項２において、
前記閉塞部材の前記ハンドレールの外面と対向する部分の形状は、前記ハンドレールの外面の形状に沿った形状に形成されていることを特徴とする乗客コンベア。
【請求項４】
請求項２または３において、
前記閉塞部材の前記内デッキカバーの終端部の裏面と密着する密着面は前記終端部の裏面の形状に沿った形状に形成され、前記密着面から植立した立ち上り部は前記終端部の側面と密着する形状に形成されていることを特徴とする乗客コンベア。
【請求項５】
請求項４において、
前記閉塞部材は前記内デッキカバーを形成するステンレス鋼板の色調と類似する色調に調色されていることを特徴とする乗客コンベア。
【発明の詳細な説明】
【技術分野】
【０００１】
本発明は鉄道の駅舎や百貨店等の建築物の各階層をつなぐエスカレーター装置や、空港等で使用される可動道路等に代表される乗客コンベアに係り、特に、欄干の周縁に沿って移動するハンドレールを備えた乗客コンベアに関するものである。
【背景技術】
【０００２】
乗客や荷物を運ぶ乗客コンベア、例えばエスカレーター装置にあっては対となる階層の上部階層側に設けた機械室に電動機等の駆動機械を設置し、この駆動機械によって発生する駆動力により踏み板やハンドレール等を駆動する構成になっている。尚、以下ではエスカレーター装置の例を基に説明を行うようにする。
【０００３】
最近のエスカレーター装置に要請される機能や性能としては、人員輸送能力の向上、消費電力量の低減、構造の簡略化、安全性及び意匠性の向上等のように実に多様な項目が挙げられる。このような多くの要請項目の一つとして安全性に着目すると、特開昭６３−１４３１８８号公報（特許文献１）にあるようなエスカレーター装置が提案されている。
【０００４】
このエスカレーター装置はステンレス鋼板で製作されたデッキカバーの先端側に合成樹脂で作られたデッキカバーを接続して一体化することで正規のデッキカバーとしている。そして、このデッキカバーの前正面のハンドレールが出入りする開口の下に安全スイッチのボタンを配置するようにしている。このように例えば安全スイッチのボタンなどの安全装置をハンドレールの下側に配置することによって不用意に安全スイッチが作動しないようにしたものである。
【先行技術文献】
【特許文献】
【０００５】
【特許文献１】特開昭６３−１４３１８８号公報
【発明の概要】
【発明が解決しようとする課題】
【０００６】
ところで、特許文献１に記載されたデッキカバーは乗客コンベアの長手方向の途中までステンレス鋼板で構成され、途中から安全装置が位置する部分を含めた先端まで（端部近傍）を合成樹脂で形成されている。この種のエスカレーター装置は手荷物を持たない乗客以外に重い荷物や硬くて大きいスーツケースを持った乗客も多く利用するが、重くて体格が大きい硬いスーツケースをエスカレーター装置の踏み板に乗せる時はかなり苦労することは良く経験するところである。
【０００７】
したがって、エスカレーター装置の乗降床から踏み板の上にスーツケースを移動させる時に、スーツケースの角部がデッキカバーの先端側を構成する合成樹脂製のデッキカバーに衝突して強い外力が合成樹脂製のデッキカバーに作用することがしばしば起こる。合成樹脂はその表面の強度がステンレス鋼板に比べて弱いため、上述した外力によって合成樹脂製のデッキカバーが破損したり、場合によっては破損した所が安全スイッチを収納している部分だと安全スイッチが不作動になったり、意図せずに安全スイッチが作動するといった不具合を生じる恐れがある。
【０００８】
このような不具合を解消するため、最近では安全装置が設けられている部分までステンレス鋼板のデッキカバーを延長して安全装置の保護や、特許文献１にあるような安全スイッチの誤作動をなくすようにしている。
【０００９】
図６、図７にこのような対策をしたエスカレーター装置の乗降床付近の構成を示している。図６においてエスカレーター装置の乗降床付近の構成は、無端状に配置された踏み板１とハンドレール２とから構成される移動体と、乗り口及び降り口を構成する床板３と、コーム（櫛板）４と、踏み板１の移動方向に沿って延び図示しない枠体に立設された欄干パネル５と、ステンレス鋼板で製作された内デッキカバー６と、鋼板で製作されたスカートガード７と、ステンレス鋼板で製作された外デッキカバー８と、ステンレス鋼板で製作された内側端部スカートガード９aと、外側端部スカートガード９ｂとからなっており、これらの構成部品が建屋床に支えられている。
【００１０】
そして、図７に示してある通り、内デッキカバー６は、終端部６aの位置がハンドレール２の下側に配置された安全装置２０の設置位置を越える位置まで延びている。言い換えれば、乗客コンベアの乗降口を前正面側から見た場合に、内デッキカバー６の終端部６aの方が安全装置２０よりも手前に存在する。
【００１１】
したがって、エスカレーター装置の乗降床から踏み板１の上にスーツケースを移動させる時に、スーツケースは安全装置２０よりも先に内デッキカバー６に衝突するとともに、スーツケースの角部が内デッキカバー６に衝突することが起こっても、ステンレス鋼板はその表面の強度が合成樹脂に比べて強いため、安全スイッチを収納している部分の破損が発生せず、特許文献１で述べたような安全スイッチが不作動になったり、意図せずに安全スイッチが作動するといった不具合を生じることがなくなるものである。
【００１２】
ところが、図７にあるように内デッキカバー６の終端部６ａは、内デッキカバー６の表面の形状を維持して延びて来ているので、どうしてもハンドレール２の外面との間には隙間ｇが生じている。このため、ハンドレール２の出入する開口のうち入り込み口側では、ハンドレール２の流れ（移動方向）が内デッキカバー６と外デッキカバー８とで形成される収納空間内に流れ込む方向に移動しているため、乗客の衣服等がこの隙間ｇに偶然入り込んだ場合、衣服等を損傷するといったことが危惧される。
【００１３】
本発明の目的は、終端部の位置が安全装置の位置を越える位置まで延在する内デッキカバーの終端部とハンドレールの外面とで形成される隙間から衣服等の異物が入り込まない乗客コンベアを提供することにある。
【課題を解決するための手段】
【００１４】
本発明の特徴は、終端部の位置が安全装置の位置を越える位置まで延在するステンレス鋼板製の内デッキカバーの終端部とハンドレールの外面との間の隙間を塞ぐ、内デッキカバーとは別に形成された閉塞部材（例えば、合成樹脂で形成された閉塞部材）を内デッキカバーの終端部に固定した、ところにある。
【発明の効果】
【００１５】
本発明によれば、終端部の位置が安全装置の位置を越える位置まで延在する内デッキカバーをステンレス鋼板で構成したため、外力が作用しても内デッキカバーが破損することがなくなると共に、内デッキカバーの終端部とハンドレールの外面との間が閉塞部材によって塞がれているので衣服等の異物が入り込まなくなるものである。
【００１６】
更に、内デッキカバーが破損することがないので、安全スイッチが誤作動をするといった恐れが解消されるようになる。
【図面の簡単な説明】
【００１７】
【図１】本発明の一実施例になる乗客コンベアの乗降床付近の構成を示す構成図である。
【図２】図１のＡ‐Ａ断面を示す断面図である。
【図３】図１の内デッキカバー周辺を拡大した拡大構成図である。
【図４】図１のＢ‐Ｂ断面を示す断面図である。
【図５】内デッキカバーと閉塞部材の構成を示す外観斜視図である。
【図６】本発明の前提となる乗客コンベアの乗降床付近の構成を示す構成図である。
【図７】図６の内デッキカバー周辺を拡大した拡大構成図である。
【発明を実施するための形態】
【００１８】
以下、本発明の実施形態について図面を用いて詳細に説明するが、本発明は以下の実施形態に限定されることなく、本発明の技術的な概念の中で種々の変形例や応用例をもその範囲に含むものである。
【００１９】
図１は本実施例になるエスカレーター装置の乗降床付近を示している。図６が下側の階床付近の構成を示していたのに対し、本実施例では上側の階床付近を示しているが、構成は実質的に同一であるので詳しい説明は省略する。図１が図６と異なる部分は、本実施例の特徴である内デッキカバーの終端部に閉塞部材が取り付けられているところであるが、これについては後で詳細に説明する。
【００２０】
閉塞部材の説明を行なう前にデッキカバー付近の構成を図２において説明する。図２は図１のＡ-Ａ断面を示しており、デッキカバーからハンドレールまでの構成部品を表している。
【００２１】
図２において、欄干パネル５の上端には案内フレーム１０が取り付けられ、ハンドレール２を案内している。更に、欄干パネル５の下端には両側に化粧用の凸部１１ａを有するパッキン１１が設けてある。パッキン１１は支持ベース１３に挟み込まれており、この支持ベース１３によって欄干パネル５が踏み板１の進行方向に沿って立設されている。
【００２２】
また、踏み板１側（内側）には内デッキカバー６、スカートガード７が配置されている。内デッキカバー６は欄干パネル５の下部付近を覆うように配置されており、一方の端面側はパッキン１１の凸部１１ａの下に潜り込んでいる。
【００２３】
更に、踏み板１の反対側（外側）には外デッキカバー８と外装板１２が配置されている。外デッキカバー８は欄干パネル５を内デッキカバー６と協働して挟み込むように欄干パネル５の下部付近を覆うように配置されており、一方の端面側はパッキン１１の凸部１１ａの下に潜り込んでいる。また、内デッキカバー６は欄干パネル５の位置から踏み板１側に向けて徐々に低くなる傾斜角θを持っており、ビス１５で支持ベース１３に固設されている。
【００２４】
このように、内デッキカバー６、スカートガード７、外デッキカバー８、及び外装板１２は欄干パネル５の下部付近、支持ベース１３及び本体枠１４等の内部構造物を体裁よく被う構成になっている。
【００２５】
尚、欄干パネル５には透明な強化ガラスが用いられ、内デッキカバー６、外デッキカバー８には薄板状のステンレス鋼板が用いられ、スカートガード７は粉末の低摩擦材料を含有する塗料を塗布した化粧鋼板が用いられている。これらの構成部品は外部に露出する構成部品であるのでそれぞれ意匠部品として美麗な表面を形成している。
【００２６】
次に本発明が対象とする内デッキカバーの終端部に設けられる閉塞部材の構成について図３、図４、及び図５を用いて説明する。図３は、図１の内デッキカバー周辺を拡大した拡大構成図である。図４は、図１のＢ‐Ｂ断面を示す断面図である。図５は、内デッキカバーと閉塞部材の構成を示す外観斜視図である。
【００２７】
図３において、ステンレス鋼板製の内デッキカバー６の先には終端側のステンレス鋼板製の内デッキカバー１７が設けられており、両者は適切な結合方法で一体的に構成されている。尚、内デッキカバー６と終端側の内デッキカバー１７は最初から一体的に構成されていても良いものである。したがって、ステンレス鋼板製の内デッキカバー１７は内デッキカバー６と同等と扱って良いものであるが、本実施例において以下では内デッキカバー１７として説明する。
【００２８】
図３、図４にあるように、スカートガード７の先端には内側端部スカートガード９aが結合されており、この内側端部スカートガード９aは先端側でほぼ直角に曲げられて前側スカートガード９ｃを形成している。また、図３では図示していないが図２に示した外装板１２の先端には外側端部スカートガードが結合されており、この外側端部スカートガードは先端側でほぼ直角に曲げられて前側スカートガード９ｂを形成している。
【００２９】
図４は、乗降口の脇の前正面側の様子を示したものであり、図４に示すように、乗降口の脇の前正面側に配置された前側スカートガード９ｂ、９ｃにはハンドレール２が出入りする開口２１が設けられており、この開口２１を通ってハンドレール２が循環するものである。また、この開口２１の下には安全装置２０が設けられている。すなわち、乗降口の脇の前正面側に開口されたハンドレールが出入りする開口２１と、乗降口の脇の前正面側に設けられハンドレールの下方に配置された安全装置２０とを有した構成になっている。この安全装置２０が作動すると、内側端部スカートガード９aと外側端部スカートガード９ｂによって形成された収納空間に配置された安全スイッチが作動して踏み板１やハンドレール２の駆動が停止されるものである。安全装置２０の安全スイッチとしては例えばマイクロスイッチが用いられ、図４で示した安全装置２０が露出している部分は例えばマイクロスイッチを覆うゴムなどであるが、これに限定されるものではない。
【００３０】
図３にあるように、内デッキカバー１７は、終端部１７aの位置が安全装置２０の位置を越える位置まで延在して、ハンドレール２側に延びており、安全装置２０が不用意に作動しないようにされると共に、安全装置２０を上からの外力から保護するようにしている。
【００３１】
例えば、エスカレーター装置の乗降床から踏み板１の上にスーツケースを移動させる時に、スーツケースの角部が内デッキカバー１７に衝突することが起こっても、ステンレス鋼板はその表面の強度が強いため安全スイッチを収納している部分の破損が発生せず、また、安全スイッチが不作動になったり、意図せずに安全スイッチが作動するといった不具合を生じることがなくなるものである。
【００３２】
また、内デッキカバー１７の終端部１７aには閉塞部材１６が固定されており、この閉塞部材１６はハンドレール２の外面に向かって延びている。本実施例においては閉塞部材１６とハンドレール２の外面とがほぼ直交する位置関係になるように内デッキカバー１７の終端部１７aに閉塞部材１６が固定されている。したがって、内デッキカバー１７の終端部１７aとハンドレール２との間に形成された隙間ｇを塞ぐ壁としての機能を備えていることになる。
【００３３】
閉塞部材１６の材料、形状は任意の形状であるが、望ましくは合成樹脂で、閉塞部材１６のハンドレール２の外面と対向する部分の形状がハンドレール２の外面の形状に沿った形状に形成されている。また、閉塞部材１６とハンドレール２の外面とが対向する隙間は出来るだけ狭い方が良いが、これは設計的に適切に決定すれば良いものである。要は、閉塞部材１６によって異物が入り難い構成になっていれば良いものである。また、閉塞部材１６としては合成樹脂の他に、ステンレス鋼板や、めっき鋼板を所望の形状に成形して用いることができる。
【００３４】
図５に本実施例になる内デッキカバー１７と閉塞部材１６の構成を示しており、内デッキカバー１７の終端部１７aには合成樹脂からなる閉塞部材１６がねじ、或いはボルト等によって固定される構成である。閉塞部材１６は合成樹脂であるため形状形成が容易であり、内デッキカバー１７の終端部１７aの裏面に密着する終端部１７aの裏面の形状に合わせた密着面１６aと、この密着面１６ａから直立した立ち上り部１６ｂを備えることができる。立ち上り部６ｂは終端部１７aの側面部と密着する形状となっている。
【００３５】
また、立ち上り部１６ｂの高さは内デッキカバー１７の終端部１７aの厚さとほぼ等しい長さにしてやれば内デッキカバー１７の終端部１７aと立ち上り部１６ｂの面が面一になって両者が円滑に繋がるようにすることができる。
【００３６】
このように、内デッキカバー１７の終端部１７aに閉塞部材１６を固定し、閉塞部材１６によって、内デッキカバー１７の終端部１７aとハンドレール２の外面との間の隙間ｇを塞ぐようにしたので、ハンドレール２の流れ（移動方向）が内デッキカバーと外デッキカバーとで形成される収納空間内に流れ込む方向に移動しても、乗客の衣服等が巻き込まれて衣服等を損傷するといったこと現象をなくすことができるようになる。
【００３７】
ここで、『隙間ｇを塞ぐ』とは完全に隙間を無くすことを意味しているのではなく、所定の隙間を有していても良いものであり、要は、図７に示す構成に対して閉塞部材１６によって異物が入り難い構成になっていれば良いものである。
【００３８】
尚、図７に示す内デッキカバー６ではその終端部６aがステンレス鋼板のむき出しであるため、先端が鋭利なエッジ形状であり、取り扱いに注意が必要であったが、閉塞部材１６は合成樹脂でインジェクション成形法などによって製作されており、閉塞部材１６の形状上の角部はある程度の丸みを持っているので取り扱いが容易である。
【００３９】
また、閉塞部材１６が合成樹脂であるため、ハンドレール２の外面形状に沿った形状に成形ができ、複雑な形状の隙間を塞ぐことができる。
【００４０】
更に、閉塞部材１６はパッキン１１と同一、或いは類似の色調とすることや、内デッキカバー１７と同一、或いは類似の色調に調色することで一体感が得られ、且つ、質感も金属製のものと同等にすることができる。
【００４１】
繰り返しなるが、図７にあるように内デッキカバー６の終端部６ａは、内デッキカバーの表面の形状を維持して延びて来ているので、どうしてもハンドレール２の外面の間には隙間ｇが生じている。このため、ハンドレール２の流れ（移動方向）が内デッキカバー６と外デッキカバー８とで形成される収納空間内に流れ込む方向に移動していると、乗客の衣服等がこの隙間ｇに偶然入り込んだ場合、衣服等を損傷するといったことが危惧される。
【００４２】
これに対して、本発明によれば、終端部の位置が安全装置の位置を越える位置まで延在するステンレス鋼板製の内デッキカバーの終端部とハンドレールの外面との間の隙間を塞ぐ合成樹脂製の閉塞部材を内デッキカバーの終端部に固定したことによって、外力が作用しても内デッキカバーが破損することがなくなる共に、内デッキカバーの終端部とハンドレールの外面との間が閉塞部材によって塞がれているので衣服等の異物が入り込まなくなるものである。
【００４３】
以上、本発明の実施形態を、乗客コンベアの一種であるエスカレーター装置を例に用いて説明してきたが、本発明は、可動道路等の他の形式の乗客コンベアに適用してもよい。
【符号の説明】
【００４４】
１…踏み板、２…ハンドレール、３…床板、４…コ−ム、５…欄干パネル、６…内デッキカバー、７…スカートガード、８…外デッキカバー、９a…内側端部スカートガード、９ｂ…外側端部スカートガード、１１…パッキン、１１ａ…化粧用の凸部、１２…外装板、１３…支持ベース、１４…本体枠、１５…ビス、１６…閉塞部材、１６ａ…密着面、１６ｂ…立ち上り部、１７…内デッキカバー、２０…安全装置、２１…開口。
【図１】
2014105095.tif 000003
【図２】
2014105095.tif 000004
【図３】
2014105095.tif 000005
【図４】
2014105095.tif 000006
【図５】
2014105095.tif 000007
【図６】
2014105095.tif 000008
【図７】
2014105095.tif 000009